(57)【要約】【課題】適切なタイミングで端末発呼動作を可能にする。【解決手段】第１端末を接続する端末網制御装置（１５）は、通信回線を経由して第２端末と通信する通信部と、通信部を制御する主制御部（２０）とを備える。第２端末が第１端末を呼出すとき、被呼側である当該第１端末への呼出信号に続き発呼元の当該第２端末を識別する発信元情報を送信する。主制御部は、第２端末からの着呼時に、通信部が受信する発信元情報と、予め定められた端末識別情報とを照合し、両情報は一致すると判定した場合に、発信元情報の次に受信する呼出信号に応答して通信回線を回線接続し、引き続き当該回線接続を切断するように通信部を制御する。【選択図】図２
2014150326.tif 000002
【特許請求の範囲】
【請求項１】
第１端末が接続される端末網制御装置であって、
通信回線が接続されて、且つ当該通信回線を経由して第２端末と通信する通信部と、
前記通信部を制御する制御部と、を備え、
前記第２端末が前記第１端末を呼出すとき、前記通信部は、前記通信回線を経由し、被呼側である当該第１端末への呼出信号を受信する前に発呼元の当該第２端末を識別する発信元情報を受信し、
前記制御部は、
前記第２端末からの着呼時に、前記通信部が受信する前記発信元情報と、予め定められた端末識別情報とを照合する照合部を、含み、
照合結果から両情報は一致すると判定した場合に、前記発信元情報の次に受信する前記呼出信号に応答して前記通信回線を回線接続し、引き続き当該回線接続を切断するように前記通信部を制御する、端末網制御装置。
【請求項２】
前記端末網制御装置には、さらに、端末発呼し、前記通信回線を経由してセンタ装置とデータ通信する第３端末が接続され、
前記制御部は、
前記第２端末からの着呼後に、前記第３端末が端末発呼した場合に、前記照合結果から前記一致を判定したときは、前記切断に引き続き、当該端末発呼のために前記通信回線を回線接続するように前記通信部を制御する、請求項１に記載の端末網制御装置。
【請求項３】
前記制御部は、
前記端末識別情報を格納する記憶部を、さらに含み、
前記センタ装置から、前記端末識別情報を受信し記憶部に格納する、請求項２に記載の端末網制御装置。
【請求項４】
前記制御部は、
前記端末識別情報を格納する記憶部を、さらに含み、
前記第１端末から前記端末識別情報を受信し記憶部に格納する、請求項１から３のいずれかに記載の端末網制御装置。
【請求項５】
前記制御部は、
前記端末識別情報を格納する記憶部を、さらに含み、
前記第２端末からの着呼時に、前記通信部が受信する前記発信元情報を記憶部に格納する、請求項１から３のいずれかに記載の端末網制御装置。
【発明の詳細な説明】
【技術分野】
【０００１】
本発明は端末網制御装置、特に、通信回線を利用してセンタ装置との間でデータ伝送を行う通信システムの端末網制御装置に関する。
【背景技術】
【０００２】
呼出し時に被呼側に対して、呼出し信号の前に発信者情報を通知するサービスを行なう通信回線を利用した通信装置が提供されている。
【０００３】
たとえば、特許文献１では、呼出し時に被呼側に対し、呼出信号の前に発信者情報を通知する信号を送信するサービスを行う通信回線に接続され、着信拒否機能を有する通信装置が示される。当該通信装置は、前記サービスに対応した外部通信装置が接続されている場合、着呼時に外部通信装置に発信者情報の検出シーケンスを行わせるが、外部通信装置の着信拒否機能の有無、着信を拒否する発信者情報の登録の有無に関わらず、本通信装置で着信拒否を有効に行えるようにする。
【０００４】
また特許文献２では、端末網制御装置において、センタ装置からの呼出しがあったとき、プレリンガ信号に続く発信者電話番号信号を検出する。この発信者電話番号信号によりセンタ装置からの呼出しであることを認識したとき、そのセンタ装置に応じて設定されている処理を実施して、その処理結果をセンタ装置に送信する。
【先行技術文献】
【特許文献】
【０００５】
【特許文献１】特開２００１−２３７９８０
【特許文献２】特開２００２−１６５０３０
【発明の概要】
【発明が解決しようとする課題】
【０００６】
端末網制御装置においては、セキュリティ機能を有する端末発呼動作など、緊急性を伴う発呼動作がある。緊急性を有する発呼動作を開始しようとする場合に、迷惑電話など、不要な通話によって回線が使用されているときには、適切な時間に発呼動作を開始することができず、発呼動作はリトライ処理へ移されてしまうとの課題があった。
【０００７】
しかしながら、特許文献１では、着呼時には、発信者情報の検出シーケンスを行い、着信拒否の動作をするまでは、通信回線は使用中となる。そのため、回線使用中に緊急性を伴う端末発呼が発生した場合に、当該発呼動作は回線が空くまでリトライ処理へ移されてしまうことになる。
【０００８】
また、特許文献２では、端末網制御装置は、プレリンガ信号に続く発信者電話番号信号を検出し、検出結果に応じた処理を実行するが、そもそも発信者電話番号信号から着信許否に該当する電話番号の検出はしていない。そのため、迷惑電話などの通話処理による回線使用中に生じた発呼動作はリトライ処理へ移されてしまうことになる。
【０００９】
それゆえに本発明の目的は、適切なタイミングで端末発呼動作を可能にする端末網制御装置を提供することである。
【課題を解決するための手段】
【００１０】
この発明のある局面に従う、第１端末が接続される端末網制御装置は、通信回線が接続されて、且つ当該通信回線を経由して第２端末と通信する通信部と、通信部を制御する制御部と、を備える。
【００１１】
第２端末が第１端末を呼出すとき、通信部は、通信回線を経由し、被呼側である当該第１端末への呼出信号を受信する前に発呼元の当該第２端末を識別する発信元情報を受信する。制御部は、第２端末からの着呼時に、通信部が受信する発信元情報と、予め定められた端末識別情報とを照合する照合部を、含む。制御部は、照合結果から両情報は一致すると判定した場合に、発信元情報の次に受信する呼出信号に応答して通信回線を回線接続し、引き続き当該回線接続を切断するように通信部を制御する。
【００１２】
好ましくは、端末網制御装置には、さらに、端末発呼し、通信回線を経由してセンタ装置とデータ通信する第３端末が接続される。制御部は、第２端末からの着呼後に、第３端末が端末発呼した場合に、照合結果から一致を判定したときは、切断に引き続き、当該端末発呼のために通信回線を回線接続するように通信部を制御する。
【００１３】
好ましくは、制御部は、端末識別情報を格納する記憶部を、さらに含み、センタ装置から、端末識別情報を受信し記憶部に格納する。
【００１４】
好ましくは、制御部は、端末識別情報を格納する記憶部を、さらに含み、第１端末から端末識別情報を受信し記憶部に格納する。
【００１５】
好ましくは、制御部は、端末識別情報を格納する記憶部を、さらに含み、第２端末からの着呼時に、通信部が受信する発信元情報を記憶部に格納する。
【００１６】
この発明の他の局面に従う、第１端末が接続されるとともに、通信回線を経由して第２端末と通信する端末網制御装置の制御方法が提供される。第２端末が第１端末を呼出すとき、端末網制御装置は、通信回線を経由し、被呼側である当該第１端末への呼出信号を受信する前に発呼元の当該第２端末を識別する発信元情報を受信する。制御方法は、第２端末からの着呼時に、受信する発信元情報と、予め定められた端末識別情報とを照合するステップと、照合結果から両情報は一致すると判定した場合に、発信元情報の次に受信する呼出信号に応答して通信回線を回線接続するステップと、当該回線接続に引き続き当該回線接続を切断するステップと、を備える。
【００１７】
この発明のさらに他の局面に従うと上記の端末網制御装置はプロセッサを有し、当該プロセッサに上記の制御方法を実行させるためのプログラムが提供される。
【発明の効果】
【００１８】
本発明によれば、制御部は、照合結果から両情報は一致すると判定した場合に、発信元情報の次に受信する呼出信号に応答して通信回線を回線接続し、引き続き当該回線接続を切断することで、端末発呼を検出した時は、即回線接続して端末発呼によるデータ通信を開始させることができるから、適切なタイミングでの端末発呼動作が可能となる。
【図面の簡単な説明】
【００１９】
【図１】本発明の実施の形態１に係る通信システムの構成図である。
【図２】本発明の実施の形態１に係る端末網制御装置の構成図である。
【図３】本発明の実施の形態１に係る迷惑電話の着信拒否のための通信シーケンスを示す図である。
【図４】図３の通信シーケンスに対応した処理フローチャートである。
【図５】本発明の実施の形態２に係る端末発呼開始時に迷惑電話の着信拒否を行う通信シーケンスを示す図である。
【図６】図５の通信シーケンスに対応した処理フローチャートである。
【図７】本発明の実施の形態３に係るセンタ装置から迷惑電話番号を登録するための通信シーケンスを示す図である。
【図８】本発明の実施の形態３に係る端末網制御装置に接続の電話機から迷惑電話番号を登録するための通信シーケンスを示す図である。
【図９】本発明の実施の形態３に係る着信した電話番号を迷惑電話番号として登録するための通信シーケンスを示す図である。
【発明を実施するための形態】
【００２０】
以下、本発明の各実施の形態について図面を参照し詳細に説明する。なお、同一の構成要素には各図において同一の符号を付し、詳細な説明は繰返さない。
【００２１】
本実施の形態に係る端末網制御装置は、呼出時に被呼側に呼出信号の前に発信者情報を通知する信号を送信するサービスを行う通信回線に接続される。端末網制御装置は、通信回線から発呼を受信した場合に、発呼元端末との間の通信回線を回線接続し、このとき受信する発呼元端末の識別情報（たとえば、電話番号）と予め定められた識別情報を照合し、両識別情報は一致するとき、上記の回線接続に引き続いて回線接続を切断する。
【００２２】
[実施の形態１]
図１は、本発明の実施の形態１に係る通信システムの構成図である。図１を参照して、通信システム１０は、センタ装置１１、センタ側交換局１２、通信回線である電話回線１３、端末側交換局１４、端末網制御装置１５、端末発呼しセンタ装置１１とデータ通信する第３端末に対応のメータ１６、端末網制御装置１５に接続される第１端末に対応の電話機１７、外部の第２端末に対応の迷惑電話機１８、および迷惑電話側交換局１９を備える。
【００２３】
端末網制御装置１５は、たとえば、各ユーザ宅等に設置されている。メータ１６は、たとえば、ガスや水道の使用量を計測するメータが挙げられるが、メータの種類はこれらに限定されない。電話機１７は、ユーザ宅内等に設置されている電話機である。通信システム１０では、センタ装置１１からは、電話回線１３を介し端末網制御装置１５側に向かって、センタ側交換局１２、端末側交換局１４、および端末網制御装置１５が順次接続されている。また、端末網制御装置１５には、たとえば２線式のシリアル信号線によりメータ１６を接続し、また電話回線１３を介し電話機１７を接続する。
【００２４】
センタ装置１１は、ホストコンピュータ等により構成され、電話回線１３を介して端末網制御装置１５からの情報を受信することにより収集し、また端末網制御装置１５に情報を送信する。センタ側交換局１２は、センタ装置１１と接続されるセンタ装置１１側の交換局である。端末側交換局１４は、端末網制御装置１５と接続される端末網制御装置１５側の交換局である。両交換局の間は、電話回線１３で接続されている。なお、端末網制御装置１５はメータ１６との間で無線通信するとしてもよい。無線通信する場合に、端末網制御装置１５は親機として動作し、メータ１６は子機として動作する。
【００２５】
迷惑電話機１８は、電話機１７の電話番号をダイヤルし、電話機１７宛てに、いたずらなど迷惑となる呼出動作を行う電話機を示す。迷惑電話機１８も、当該迷惑電話機１８側の交換局である迷惑電話側交換局１９から電話回線１３を介し、端末側交換局１４を経て端末網制御装置１５と通信する。
【００２６】
図１では、通信回線である電話回線１３には、アナログ電話回線、ＩＳＤＮ（Integrated  Services  Digital  Network）回線等の通信回線を適用することができる。通信回線の種類は、これら電話サービス網の回線に限定されない。たとえば、通信回線は無線網を含み、識別情報（電話番号など）は無線網および電話回線１３などを経由して相手方に通知するとしてもよい。
【００２７】
図１では、説明を簡単にするために、交換局を介してセンタ装置１１とユーザ宅の端末（メータ１６，電話機１７）は１対１で通信するとしているが、センタ装置１１に対して、異なる複数のユーザ宅端末が接続され得る。その場合であっても、各実施の形態は同様に適用することができる。
【００２８】
動作において、センタ装置１１または迷惑電話機１８では、オフフックすることによりセンタ側交換局１２または迷惑電話側交換局１９との回線を接続し、ユーザ側の電話番号をダイヤルする（発呼する）。ダイヤルされた相手電話番号を示すダイヤル信号は端末側交換局１４に送信され、端末側交換局１４は受信したダイヤル信号が示す電話番号に基づき端末網制御装置１５に対し呼出信号としてリンガ信号を送信する。端末網制御装置１５は、受信したリンガ信号を電話機１７に出力する。電話機１７は、入力したリンガ信号に基づき所定のリンガ音（呼出音）を出力し、ユーザに対し着呼を報知する。
【００２９】
本実施の形態では、通信システム１０ではナンバディスプレイサービスが実施されると想定する。ナンバディスプレイサービスでは、端末側交換局１４からの最初のリンガ信号はプレリンガ信号と呼ばれ、プレリンガ信号と次位のリンガ信号との間には、センタ装置１１または迷惑電話機１８の発信元を識別するための発信元情報である電話番号（以下、発信者電話番号という）を示す信号が挿入されるように設定される。端末網制御装置１５および電話機１７は、ナンバディスプレイサービスに対応し、着呼時に発信者電話番号を検出するための構成を有する。
【００３０】
端末網制御装置１５は、電話回線１３を接続し、且つ電話回線１３側と当該装置内部との電気的絶縁、与えられる指令による電話回線１３の捕捉および開放、電話回線１３と外部端末（電話機１７，メータ１６）の接続の切替え、ダイヤル信号による電話機１７の制御、および電話回線１３の信号のモニタ等を行う。
【００３１】
図２は、本発明の実施の形態１に係る端末網制御装置１５の構成図である。図２を参照して、端末網制御装置１５は、ＣＰＵ（Central  Processing  Unit）などのプロセッサを有したマイクロコンピュータに相当する主制御部２０、モデム部２１、電話回線１３が接続された局線部２２、各部に電源を供給する電源部２３、メータ用Ｉ／Ｆ（インターフェイスの略）部２４、およびユーザが操作可能なスイッチ２５を備える。
【００３２】
局線部２２は、電話機１７を電話回線１３に対して接続したり切り離したりする切替回路およびオフフック検出回路などを有する。モデム部２１は、主制御部２０からのデジタル信号を電話回線１３で送信可能なアナログ信号に変調して局線部２２を介し電話回線１３に出力するとともに、電話回線１３から局線部２２を介し受信したアナログ信号を主制御部２０で処理可能なフォーマットのデジタル信号に復調し主制御部２０に出力する。
【００３３】
主制御部２０は、ＣＰＵにより実行されるプログラムおよび各種データを格納するための不揮発性メモリなどからなるメモリ部２０ａを有する。主制御部２０は、モデム部２１を介して局線部２２と接続され、またメータ１６との間で信号を送受信するメータ用Ｉ／Ｆ部２４とも接続されている。主制御部２０は、メータ用Ｉ／Ｆ部２４を介しメータ１６から計測データおよび端末発呼時に端末発呼要因などを入力する。
【００３４】
（迷惑電話着信時の処理概要）
上記したリンガ音が出力されることによりユーザが電話機１７をオフフック操作すると、または、ユーザが留守の場合には電話機１７の留守録機能が起動すると、電話回線１３を経由した通話回線が接続されて、相手側電話機と通話が開始される。その後は、通話が終了する（電話機１７で受話器のオンフック操作等される）まで、電話回線１３は使用中となり、この間のメータ１６の端末発呼動作は、電話回線１３が空きとなるまでリトライ処理に移行させられることになる。これを回避するために、本実施の形態では、端末網制御装置１５が迷惑電話機１８からの着呼であることを検出すると、一旦電話回線１３を接続した後、即切断することにより着信拒否とする。これにより、迷惑電話により電話回線１３が使用中となって、端末発呼動作がリトライ処理に移行させられるのを防止する。
【００３５】
具体的には、メモリ部２０ａには迷惑電話機１８の電話番号のデータが予め格納されている。主制御部２０のＣＰＵは、モデム部２１を介しプレリンガ信号の後の発信者電話番号を入力すると、当該発信者電話番号とメモリ部２０ａに格納されている電話番号とを照合する照合部の機能を有する。照合結果が両電話番号の一致を示すと判定した時、ＣＰＵは、その後に受信するリンガ信号を後方の電話機１７へ出力するのを中止するよう局線部２２に指令する。また、端末網制御装置１５と迷惑電話機１８との電話回線１３経由による回線を一旦接続し迷惑電話機１８に対し応答した後、即切断する。これにより、電話機１７に対する迷惑電話機１８からの着信を拒否して、端末発呼動作が妨げられるのを防止する。
【００３６】
（迷惑電話着信拒否のシーケンス）
図３は、本発明の実施の形態１に係る迷惑電話の着信拒否のための通信シーケンスを示す図である。図４は、図３の通信シーケンスに対応した処理フローチャートである。図３と図４を参照し、迷惑電話機１８からの着呼時の端末網制御装置１５側の動作を説明する。図３のステップＳ１１〜Ｓ１４の処理は、端末網制御装置１５または電話機１７で実行され、ステップＳ１５とＳ１６の処理は端末網制御装置１５で実行される。ここでは、説明を簡単にするために、ステップＳ１１〜Ｓ１４の処理は、端末網制御装置１５で実行されると想定する。
【００３７】
まず、迷惑電話機１８が発呼すると、センタ側交換局１２および端末側交換局１４を介し端末網制御装置１５は、迷惑電話機１８からの信号を受信する（図４のステップＳ１０、図３のステップＴ１）。
【００３８】
具体的には、端末網制御装置１５の主制御部２０のＣＰＵは、端末側交換局１４からプレリンガ信号を受信し着呼を検出すると（ステップＳ１１，Ｔ２）、検出結果に基づき、当該着呼を後方の電話機１７で処理するか、端末網制御装置１５で処理するかを判定する。電話機１７により処理すると判定したときは、電話機１７にプレリンガ信号が出力され、電話機１７はプレリンガ信号を受信したとき一次応答を送信し（ステップＴ３）、端末網制御装置１５で処理すると判定したときは、電話機１７に対するプレリンガ信号出力を中止し、端末網制御装置１５はプレリンガ信号を受信したとき局線部２２の図示しない回路による直流ループを閉結（直流電流が回線間でループする）する。これにより電話回線１３を捕捉し、ＣＰＵは捕捉された電話回線１３を介し交換局に対し一次応答を送信し（ステップＴ３）、回線接続する（ステップＳ１２)。このように、“回線接続する”とは、リンガ信号に対して応答することを意味し、回線接続されることにより通話可能な状態となる。なお、ナンバディスプレイサービスでは、プレリンガによる回線接続時（ステップＳ１２）には、電話機１７側はプレリンガの呼出音が出ないように設定されている。
【００３９】
回線接続後、交換局は、一次応答を受信するとプレリンガ信号に続く発信者電話番号を送信する（ステップＴ４）。端末網制御装置１５の主制御部２０のＣＰＵは、端末網制御装置１５が一次応答を送信した場合に発信者電話番号を受信すると、受信した発信者電話番号を内部メモリに格納（保存）するが、後方の電話機１７が一次応答した場合は当該発信者電話番号を受信（盗み見）する（ステップＳ１３，Ｔ５)。ここでは、端末網制御装置１５が一次応答するとしているので、盗み見は行われずに、端末網制御装置１５が発信者電話番号を受信し、受信した発信者電話番号を内部メモリに格納する。
【００４０】
その後、一次応答を送信した機器が接続した電話回線１３を一次切断する（ステップＳ１４，Ｔ６)。一次切断では、局線部２２に対して、上記の閉結された直流ループを切断するように指令することにより、局線部２２は捕捉していた電話回線１３を開放する。これにより、通話可能状態から通話不可の状態となる。
【００４１】
主制御部２０のＣＰＵは、メモリ部２０ａに格納されている迷惑電話番号と受信した発信者電話番号とを照合する（ステップＳ１５）。ＣＰＵは、照合結果が両電話番号の不一致を示すと判定すれば（ステップＳ１６で“不一致”）、その後は、局線部２２に、後方の電話機１７を電話回線１３に接続するよう指令する。局線部２２は指令に応答して電話機１７を電話回線１３に接続する。これにより、電話機１７は呼出信号によるリンガ信号を受信しリンガ音を出力し、リンガ音に気付きユーザがオフック操作すると通常の通話を開始することができる（ステップＳ１７）。
【００４２】
一方、照合結果が一致を示す、すなわち迷惑電話機１８からの着信と判定した場合は（ステップＳ１６で“一致”）、主制御部２０のＣＰＵは交換局から発信者電話番号に続いて送信されるリンガ信号を受信する（ステップＳ１８，Ｔ７）。受信したリンガ信号は電話機１７には出力せずに、ＣＰＵは局線部２２に二次応答を送信させ直流ループを閉結するように制御する（ステップＳ１９，Ｔ８）。これにより、一次切断されていた回線が接続される（ステップＴ９）。局線部２２はこの回線接続の後に引き続いて直流ループを切断する（ステップＳ２０，Ｔ１０）。これにより、接続されていた回線は即切断される。
【００４３】
本実施の形態１によれば、迷惑電話機１８が電話機１７を呼出すとき、局線部２２は、電話回線１３を経由し、被呼側である電話機１７への呼出信号であるリンガ信号を受信する前に発呼元の迷惑電話機１８を識別する発信元情報（迷惑電話機１８の電話番号）を受信し、主制御部２０のＣＰＵは、迷惑電話機１８からの着呼（プレリンガ信号受信）時に、局線部２２が受信する発信元情報と、予め定められた端末識別情報（メモリ部２０ａに格納された迷惑電話番号）とを照合する照合部（ステップＳ１５）を、含む。照合結果から両情報は一致すると判定した場合に、発信元情報の次に受信する上記の呼出信号に応答して電話回線１３を回線接続し、引き続き当該回線接続を切断するように局線部２２を制御する。
【００４４】
したがって、ＣＰＵは迷惑電話機１８からの発呼が着信と判定したときは、後方の電話機１７に回線接続することなく（電話機１７は通話可能状態とはならず）当該着信は拒否される。また、局線部２２は指令に従い迷惑電話機１８に対し応答後に回線切断する。これにより、電話回線１３が迷惑電話の通話により使用中となるのを防止できて、メータ１６の端末発呼動作が生じた場合に、リトライ処理に移行させられることはなく、速やかに電話回線１３を経由し計測データをセンタ装置１１に送信することができる。
【００４５】
[実施の形態２]
本実施の形態２では、メータ１６が計測データを送信する等のための端末発呼を開始するタイミングで電話機（迷惑電話機１８など）からの着信を開始していた場合、従来では発呼動作はリトライ処理に入っていたが、上記の実施の形態１のように迷惑電話を検知できることにより、発呼動作を待機させ、迷惑電話を端末網制御装置１５が応答し、回線切断した後に、待機させていた発呼動作を開始させる。これにより、端末発呼動作をリトライ処理に移行させることなく開始させることができる。本実施の形態２の通信システムおよび端末網制御装置１５の構成は実施の形態１と同様であるから説明は繰り返さない。
【００４６】
（端末発呼開始時における迷惑電話の着信拒否のシーケンス）
図５は、本発明の実施の形態２に係る端末発呼開始時に迷惑電話の着信拒否を行う通信シーケンスを示す図である。図６は、図５の通信シーケンスに対応した処理フローチャートである。図５と図６を参照し、迷惑電話機１８からの着呼時の端末網制御装置１５側の動作を説明する。
【００４７】
図６を参照して、ステップＳ３０〜Ｓ３４の処理が図４のステップＳ１０〜Ｓ１４と同様に実行される。まず迷惑電話機１８からの呼出しがあると（図６のステップＳ３０，図５のステップＴ１）、端末網制御装置１５は端末側交換局１４からのプレリンガ信号を受信し（ステップＳ３１，Ｔ２）、端末網制御装置１５の判断により後方の電話機１７で処理するか、端末網制御装置１５で処理し、いずれか処理した方が一次応答を送信し、回線接続される（ステップＳ３２，Ｔ３）。その後に続いて送信される発信者電話番号を受信し、端末網制御装置１５が保存、または後方の電話機１７が応答している場合は、端末網制御装置１５は当該発信者電話番号を盗み見する（ステップＳ３３）。そして、一次応答を送信した機器は、接続されていた電話回線１３を一次切断する（ステップＳ３４）。
【００４８】
ステップＳ３０〜Ｓ３４の処理の間に、端末網制御装置１５の主制御部２０のＣＰＵはメータ１６から端末発呼要因を受信したか否かを判定する（ステップＳ３５，Ｔ３ａ）。受信していないと判定すると（ステップＳ３５で“受信なし”）、後述するステップＳ３７に移行するが、受信したと判定した場合には（ステップＳ３５で“受信あり”）、ＣＰＵは、メータ１６から受信した端末発呼要因をメモリ部２０ａに格納することにより、端末発呼動作を端末網制御装置１５内で待機させる（ステップＳ３６，Ｔ３ｂ）。
【００４９】
その後、ステップＳ１５とＳ１６と同様に、ＣＰＵはメモリ部２０ａに格納されている迷惑電話番号と受信した発信者電話番号とを照合し（ステップＳ３７，Ｔ４，Ｔ５）、照合結果から両電話番号が一致するか否かを判定する（ステップＳ３８）。
【００５０】
一致しないと判定すると（ステップＳ３８で“不一致”）、電話機１７による通常の通話が可能状態にするが、この時、ＣＰＵはメモリ部２０ａを検索し、端末発呼要因が格納されている、すなわちメータ１６の端末発呼動作が待機中であるか否かを判定する（ステップＳ３９）。待機中ではないと判定すると（ステップＳ３９でＮＯ）、後述するステップＳ４１に移行するが、待機中と判定すると（ステップＳ３９でＹＥＳ）、格納されている端末発呼要因に基づく端末発呼動作をリトライ処理に移行させて通話を優先的に処理する（ステップＳ４０）。そして、ステップＳ１７と同様に、後方の電話機１７を電話回線１３に接続し通話可能状態にする（ステップＳ４１）。通話終了後は、処理は終了する。
【００５１】
ここで、端末発呼動作のリトライ処理では、ＣＰＵはメータ１６に対して端末発呼の失敗を通知せずに、予め定められた時間間隔および予め定められた回数だけ端末発呼処理をリトライする。具体的には、メータ１６からの端末発呼要因には、相手先であるセンタ装置１１の電話番号等の識別情報が含まれており、ＣＰＵは回線接続時に当該識別情報に基づく発呼動作（ダイヤル動作を含む）を、相手側から応答があるまで、または通話終了するまで上記の時間間隔および回数だけ繰返す。
【００５２】
迷惑電話番号と一致していると判定した場合は（ステップＳ３８でＹＥＳ）、ステップＳ１８〜Ｓ２０と同様に、端末網制御装置１５が発信者電話番号の後に送信されるリンガ信号を受信し（ステップＳ４２，Ｔ７）、二次応答を送信し回線接続し（ステップＳ４３，Ｔ８，Ｔ９）、回線接続に引き続き（即座に）回線切断する（ステップＳ４４，Ｔ１０）。
【００５３】
迷惑電話を検出して回線切断すると、その後引き続き回線を接続し待機中の端末発呼動作を処理する。具体的には、ＣＰＵはステップＳ３９と同様に端末発呼動作が待機中であるか否かを判定する（ステップＳ４５）。待機中と判定すると（ステップＳ４５でＹＥＳ）、センタ装置１１の電話番号をダイヤルして回線を接続し（ステップＳ４６，Ｔ１１〜Ｔ１３）、センタ装置１１に向けて端末発呼要因に含まれる計測データの送信など発呼動作をする（ステップＳ４７）。その後、処理は終了する。一方、端末発呼動作は待機中ではないと判定すると（ステップＳ４５でＮＯ）、回線切断のまま処理は終了する。
【００５４】
実施の形態２では、主制御部２０のＣＰＵは、外部の電話機（迷惑電話機１８など）からの着呼後に、メータ１６が端末発呼した場合に、照合部の照合結果から迷惑電話番号との一致を判定したときは、回線切断（ステップＳ４４）の後に引き続き、当該端末発呼のために電話回線１３を回線接続するように指令を出力し局線部２２を制御する。
【００５５】
したがって、メータ１６が計測データを送信する等のための端末発呼を開始するタイミングで迷惑電話の着信が開始されていた場合であっても、迷惑電話かどうかを判定するまで待機させて、迷惑電話と判定した場合に端末網制御装置１５が迷惑電話に対し応答し、回線切断した後に、引き続き回線接続し、待機させていた発呼動作を開始せることができる。これにより、端末発呼動作をリトライ処理に移行させて遅延させることなく適切なタイミングでデータ送信を開始させることができる。
【００５６】
[実施の形態３]
本実施の形態３では、主制御部２０のＣＰＵの格納部の機能を用いて、迷惑電話番のメモリ部２０ａへの登録方法を説明する。図７は、本発明の実施の形態３に係るセンタ装置１１から迷惑電話番号を受信し登録するための通信シーケンスを示す図である。
【００５７】
図７を参照して、センタ装置１１の図示しないＣＰＵは、オペレータからのキー入力等に基づく１つ以上の迷惑電話番号をセンタ装置１１の内部メモリのリストに登録する（図７のステップＴ２１）。センタ装置１１は端末網制御装置１５との間で回線接続し（ステップＴ２２）、迷惑電話番号が登録済のリストを内部メモリから読出し電話回線１３を経由して端末網制御装置１５に送信する（ステップＴ２３）。主制御部２０は、リストを受信しメモリ部２０ａに格納する（ステップＴ２４）。格納後は、端末網制御装置１５は、格納した旨の応答をセンタ装置１１宛てに送信する（ステップＴ２５）。その後は、センタ装置１１と端末網制御装置１５の間で終了電文を送受信し（ステップＴ２６，Ｔ２７）、センタ装置１１は、接続されていた回線を切断する（ステップＴ２８）。
【００５８】
ここでは、センタ装置１１からのリストのダウンロードは電話回線１３を経由したが、電話回線１３によらない別の通信回線（インターネット、無線回線など）を経由してダウンロードするとしてもよい。
【００５９】
また、リストを記憶した記憶媒体（メモリカードなど）を用いて、メモリ部２０ａに格納するとしてもよい。
【００６０】
迷惑電話番号の登録は、センタ装置１１から図７のようにダウンロードして登録する方法に限らず、ユーザの手動操作により登録することもできる。図８は本発明の実施の形態３に係る電話機１７から迷惑電話番号を登録するための通信シーケンスを示す図である。
【００６１】
図８を参照して、ユーザは、端末網制御装置１５のスイッチ２５を押すことにより、端末網制御装置１５の動作モードを迷惑電話登録モードに切替える（図８のステップＴ３１）。モード切替した後に、ユーザは電話機１７から電話番号をダイヤルする（ステップＴ３２）と、主制御部２０のＣＰＵは、迷惑電話登録モードでは、電話機１７からダイヤルされた電話番号を受信すると、端末側交換局１４との電話回線１３を接続することなく、受信した電話番号を迷惑電話番号データとしてメモリ部２０ａに格納する（ステップＴ３３）。
【００６２】
また、ユーザ自ら登録する他の方法として、かかってきた電話を迷惑電話として登録することもできる。図９は本発明の実施の形態３に係る着信した電話番号を迷惑電話番号として登録するための通信シーケンスを示す図である。
【００６３】
図９を参照して、電話機１７と相手側電話機との電話回線１３を経由した通話中に、ユーザは電話機１７を一旦オンフックし回線切断した後に（図９のステップＴ４１，Ｔ４２）、主制御部２０のＣＰＵは、直前に着信のあった電話番号を一時的に記憶する（ステップＴ４３）。そして、ユーザがスイッチ２５を操作（たとえば、押下）すると（ステップＴ４４）、ＣＰＵは着呼した相手側の電話番号を、すなわち一時記憶しておいた電話番号を迷惑電話番号データとしてメモリ部２０ａに格納する（ステップＴ４５）。
【００６４】
ここでは、端末網制御装置１５の主制御部２０は、図７、図８および図９のいずれかの機能を有するとしてもよく、また２つ以上の機能を有するとしてもよい。
【００６５】
[他の実施の形態]
上記の各実施の形態における各フローチャートに示す端末網制御装置１５が行なう制御方法は、プログラムで実現することができる。本実施の形態では、このプログラムはコンピュータで読取可能な記録媒体に格納される。
【００６６】
本実施の形態では、この記録媒体として、図２に示されている主制御部２０のＣＰＵがプログラムを読出し実行するために必要なメモリ、たとえばメモリ部２０ａそのものがプログラムメディアであってもよいし、また図示しないが外部記憶装置として磁気テープ装置およびＣＤ−ＲＯＭ（Compact  Disc  Read  Only  Memory）装置などのプログラム読取装置が設けられ、そこに記憶媒体である磁気テープまたはＣＤ−ＲＯＭが挿入されることで読取可能なプログラムメディアであってもよい。いずれの場合においても、格納されているプログラムはＣＰＵがアクセスして実行させる構成であってもよいし、あるいはいずれの場合もプログラムが一旦読出されて、読出されたプログラムは、図２のメモリ部２０ａの所定のプログラム記憶エリアにロードされて、ＣＰＵにより読出されて実行される方式であってもよい。このロード用のプログラムは、予め当該主制御部２０の所定記憶エリアに格納されているものとする。
【００６７】
ここで、上述したプログラムメディアは情報処理装置本体である主制御部２０と分離可能に構成される記録媒体であり、ＣＤ−ＲＯＭ／ＭＯ（Magnetic  Optical  Disc）／ＭＤ（Mini  Disc）／ＤＶＤ（Digital  Versatile  Disc）などの光ディスクのディスク系、ＩＣ（Integrated  Circuit）カード（メモリカードを含む）／光カードなどのカード系、あるいはマスクＲＯＭ、ＥＰＲＯＭ（Erasable  and  Programmable  ＲＯＭ）、ＥＥＰＲＯＭ(Electrically  ＥＰＲＯＭ)、フラッシュＲＯＭなどによる半導体メモリを含めた固定的（非一時的）にプログラムを担持する媒体であってもよい。
【００６８】
また、本実施の形態においては、端末網制御装置１５は電話回線１３などの各種通信ネットワークからプログラムがダウンロードされるように一時的にプログラムを担持する媒体であってもよい。ダウンロード用プログラムは予め当該端末網制御装置１５本体に格納しておくか、あるいは別の記録媒体から予め端末網制御装置１５本体にインストールされるものであってよい。
【００６９】
なお記録媒体に格納されている内容としてはプログラムに限定されず、データであってもよい。
【００７０】
（実施の形態の効果）
迷惑電話機１８の電話番号を端末網制御装置１５に予め格納し、迷惑電話機１８からの着信による電話番号と格納した電話番号との照合結果から、迷惑電話の着信拒否を可能とするとともに、メータ１６などの端末発呼動作の妨げを解消でき、従来リトライしていたことによる端末発呼の遅延および端末網制御装置１５およびメータ１６の電池消費量を低減することができる。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
１０  通信システム、１１  センタ装置、１２  センタ側交換局、１３  電話回線、１４  端末側交換局、１５  端末網制御装置、１６  メータ、１７  電話機、１８  迷惑電話機、１９  迷惑電話側交換局、２０  主制御部、２０ａ  メモリ部、２１  モデム部、２２  局線部、２３  電源部、２５  スイッチ。
【図１】
2014150326.tif 000003
【図２】
2014150326.tif 000004
【図３】
2014150326.tif 000005
【図４】
2014150326.tif 000006
【図５】
2014150326.tif 000007
【図６】
2014150326.tif 000008
【図７】
2014150326.tif 000009
【図８】
2014150326.tif 000010
【図９】
2014150326.tif 000011